(57)【要約】      （修正有）【課題】各種メニューに従い順に飲料を調合製造する自動飲料機を提供する。【解決手段】飲料メニュー、氷量メニュー、砂糖量メニューを備える注文操作ユニットと、主機からなり、飲料メニューは第１飲料を備え、氷量メニューと砂糖量メニューは対応する氷と砂糖の量を設定し、選択後に第１飲料信号を出力する。主機は、コップを排出するコップ供給装置Ａ、第１ラベルを貼り付けるラベル装置Ｂ、製氷機Ｃ、第１添加物装置Ｄ、果糖装置Ｅ、ジャム装置Ｆ、第２添加物装置Ｇ、牛乳装置Ｈ、飲料装置Ｉ、コップを密封する密封装置Ｊ、及びコップを挟み取り回転且つ移動させて受け取りカウンターに置く攪拌装置Ｋに電気的に接続され、伝達ユニットはコップを製氷機、第１添加物機、果糖装置、ジャム装置、第２添加物装置、牛乳装置、飲料装置、及び密封装置の下方に移動させて氷、果糖、ジャム、第１添加物、第２添加物、牛乳、及び飲料をコップに受ける。【選択図】図２
0003218780.tif 000002
【実用新案登録請求の範囲】
【請求項１】
注文操作ユニットと、主機と、コップ供給装置と、ラベル装置と、製氷機と、第１添加物装置と、果糖装置と、ジャム装置と、第２添加物装置と、飲料装置と、密封装置と、攪拌装置と、からなる自動飲料機であって、
前記注文操作ユニットは、少なくとも１つの飲料メニューと、氷量メニューと、砂糖量メニューを備え、前記飲料メニューは、少なくとも１つの第１飲料及び少なくとも１つの第２飲料を備え、前記氷量メニューと前記砂糖量メニューは、前記第１飲料及び前記第２飲料に対応する氷の量及び砂糖の量を設定し、前記飲料メニュー、前記氷量メニュー、及び前記砂糖量メニューは、選択されると、第１飲料信号及び第２飲料信号をそれぞれ出力し、
前記主機は、前記注文操作ユニットに電気的に接続され、前記第１飲料信号及び前記第２飲料信号を受信するとともに、前記主機において前記第１飲料または前記第２飲料に対応する第１添加物データ、ジャム量データ、及び第２添加物データをそれぞれ設定し、
前記コップ供給装置は、筒体と、昇降ユニットと、水平台を備え、前記筒体には、複数のコップが取り付けられ、前記昇降ユニットは、前記筒体の一側に設けられ、前記第１飲料信号及び前記第２飲料信号を受信した後に駆動され、第１コップ及び第２コップ順に取り外し、前記水平台は、前記筒体の下方に位置し、前記第１コップ及び前記第２コップを前記水平台上に順に置き、前記水平台の一側には、摺動ユニットが設けられ、
前記ラベル装置は、前記コップ供給装置と隣り合っているとともに、前記主機に電気的に接続され、前記ラベル装置は、ラベル受取ユニットに電気的に接続され、前記ラベル装置は、前記第１飲料信号及び前記第２飲料信号を受信すると、前記第１飲料に対応する第１ラベル及び前記第２飲料に対応する第２ラベルを出力し、前記ラベル受取ユニットは、前記第１ラベル及び前記第２ラベルを順に受け取るとともに、前記第１ラベルと前記第２ラベルを第１コップ及び前記第２コップ上に順に貼り付け、前記第１ラベルが前記第１コップに貼り付けられると、前記摺動ユニットが駆動されて、前記第１コップを前記水平台から移動させ、前記第２コップが前記水平台上に来るようにし、
前記製氷機は、前記主機に電気的に接続され、氷を製造し、保存し、且つ排出するとともに、氷排出口を備え、前記第１コップは、前記氷排出口の下方に位置し、前記第１コップに氷を受けると、伝達ユニットによって前記第１コップが移動されると同時に、前記第２コップは、前記摺動ユニットによって氷排出口の下方に移動され、
前記第１添加物装置は、前記主機に電気的に接続され、少なくとも１つの第１添加物を保存するとともに、第１機械アームを備え、前記伝達ユニットは、前記第１コップ及び前記第２コップを第１添加物装置の前方に順に移動させ、前記主機は、前記第１添加物データに基づいて、前記第１機械アームを選択的に駆動させ、前記第１添加物をすくうとともに、前記第１コップまたは前記第２コップに入れ、
前記果糖装置は、前記主機に電気的に接続され、果糖を保存するとともに、果糖排出口を備え、前記伝達ユニットは、前記第１コップ及び前記第２コップを果糖排出口の下方に順に移動させ、前記果糖装置は、前記第１飲料信号及び前記第２飲料信号に基づいて、前記第１飲料に対応する砂糖の量を前記第１コップの中及び前記第２飲料に対応する砂糖の量を前記第２コップの中にそれぞれ排出し、
前記ジャム装置は、前記主機に電気的に接続され、ジャムを保存するとともに、ジャム排出口を備え、前記伝達ユニットは、前記第１コップと前記第２コップを前記ジャム排出口の下方に順に移動させ、前記主機は、前記ジャム量データに基づいて、選択的に前記ジャム装置を駆動させてジャムを前記第１コップまたは前記第２コップの中に排出させ、
前記第２添加物装置は、前記主機に電気的に接続されるとともに、少なくとも１つの第２添加物を保存し、前記第２添加物装置は、少なくとも１つの第２添加物排出口を備え、前記伝達ユニットは、前記第１コップと前記第２コップを前記第２添加物排出口の下方に順に移動させ、前記主機は、前記第２添加物データに基づいて、選択的に前記第２添加物装置を駆動させ、少なくとも１つの第２添加物を前記第１コップまたは前記第２コップの中に排出させ、
前記飲料装置は、前記主機に電気的に接続され、前記飲料装置は、複数の飲料を保存するとともに、複数の飲料排出口を備え、前記伝達ユニットは、前記第１コップ及び前記第２コップを前記飲料排出口の下方に移動させ、前記主機は、前記第１飲料信号及び前記第２飲料信号に基づいて、前記飲料装置を駆動させて前記第１飲料に対応する飲料を前記第１コップの中に排出させるとともに、前記第２飲料に対応する飲料を前記第２コップの中に排出させ、
前記密封装置は、前記主機に電気的に接続され、前記密封装置には、複数の密封フィルムが取り付けられ、伝達ユニットは、前記第１コップ及び前記第２コップを前記密封装置の下方に順に移動させ、前記密封装置は、密封フィルムを順に排出して前記第１コップ及び前記第２コップをそれぞれ密封し、
前記攪拌装置は、前記主機に電気的に接続され、前記攪拌装置は、第２機械アームを備え、前記第１コップと前記第２コップが前記密封フィルムによって密封されると、前記第２機械アームは、前記第１コップ及び前記第２コップを順につかむとともに回転させ、前記第１コップと前記第２コップを受け取りカウンターに置くことを特徴とする、自動飲料機。
【請求項２】
前記昇降ユニットは、吸盤を備え、前記吸盤は、前記筒体の底部を向いているとともに、前記吸盤によって前記第１コップの底部を吸着し、前記昇降ユニットが下降することで、前記第１コップを前記筒体から取り外すとともに、前記第１コップまたは前記第２コップを前記水平台に置くと、前記昇降ユニットは上昇して元の位置に戻り、さらに、前記水平台は、前記伝達ユニットと隣り合うことを特徴とする、請求項１に記載の自動飲料機。
【請求項３】
前記伝達ユニットは、第１伝達装置と、第２伝達装置と、第３伝達装置を備え、前記第１伝達装置、前記第２伝達装置、及び前記第３伝達装置は、第１レールと第１挟持装置、第２レールと第２挟持装置、及び第３レールと第３挟持装置をそれぞれ備え、前記第１レールは、前記製氷機、前記第１添加物装置、及び前記果糖装置の前に設けられ、前記第１挟持装置は、前記第１レール上に往復するように設けられ、前記第２レールは、前記果糖装置、前記ジャム装置、前記第２添加物装置、及び前記飲料装置の前に設けられ、前記第２挟持装置は、前記第２レール上に往復するように設けられ、前記第３レールは、前記飲料装置及び前記密封装置の前に設けられ、前記第３挟持装置は、前記第３レール上に往復するように設けられるとともに、前記第１挟持装置、前記第２挟持装置、または前記第３挟持装置によって前記第１コップ及び前記第２コップはそれぞれ挟まれることを特徴とする、請求項１または請求項２に記載の自動飲料機。
【請求項４】
前記ラベル装置におけるラベル受取ユニットは、往復伸縮装置と、モーターを備え、前記往復伸縮装置上には、吸盤が設けられることで、前記第１ラベルまたは前記第２ラベルを吸着し、前記モーターは、前記往復伸縮装置を駆動させて回転させるとともに前記水平台の方向に向けさせ、前記往復伸縮装置が伸びることにより、前記吸盤上のラベルが前記第１コップまたは前記第２コップに貼り付けられることを特徴とする、請求項１に記載の自動飲料機。
【請求項５】
前記氷排出口の下方には、さらに、誘導ユニットが設けられ、前記誘導ユニットは、傾斜を備え、前記第１コップまたは前記第２コップは、前記誘導ユニットの末端に位置することで、氷をコップに受けることを特徴とする、請求項１に記載の自動飲料機。
【請求項６】
前記氷排出口の下方または誘導ユニットの下方には、さらに、前記製氷機に電気的に接続された電子はかりが設けられ、前記第１コップまたは前記第２コップは、前記電子はかり上に置かれ、前記電子はかり上のコップに受けた氷の重量が前記第１飲料または前記第２飲料の氷の量にそれぞれ達すると、前記製氷機が氷を排出するのを停止させることを特徴とする、請求項５に記載の自動飲料機。
【請求項７】
前記第１添加物装置は、箱体を備え、前記箱体の内部には、少なくとも１つの第１貯蔵槽及び洗浄槽が設けられ、前記第１貯蔵槽は、前記第１添加物を保存し、前記洗浄槽の中には、洗浄液が保存され、前記箱体の両側には、縦向きレールがそれぞれ設けられ、各前記縦向きレールはフレームと連結していることで、前記フレームを各前記縦向きレールに沿って往復移動させ、前記フレーム上には横向きレールが設けられ、前記第１機械アームは、前記横向きレール上に設けられることで、前記第１機械アームを前記横向きレールに沿って往復移動させることを特徴とする、請求項１に記載の自動飲料機。
【請求項８】
前記箱体の頂面には、蓋体が設けられ、前記蓋体上には、連結部品が設けられ、前記連結部品の頂端と前記フレームの底面は連結していることで、前記フレームが縦向きに往復移動すると、前記蓋体が前記箱体から外れるまたは前記蓋体によって前記箱体が密封されることを特徴とする、請求項７に記載の自動飲料機。
【請求項９】
前記箱体の前側には、漏斗が凸設されることで、前記第１機械アームが前記第１添加物をすくうと、前記第１添加物は前記漏斗の中に投入され、さらに、前記漏斗から前記第１コップまたは第２コップに落とされることを特徴とする、請求項７に記載の自動飲料機。
【請求項１０】
前記第２添加物装置は、少なくとも１つの収容槽と、第１仕切り板と、第２仕切り板を備え、前記第２添加物排出口は、前記収容槽の底部に設けられ、前記第１仕切り板は、前記第２添加物排出口を密封し、前記収容槽上には切り口が設けられ、前記切り口には、前記第２仕切り板が取り付けられることで、前記収容槽は、第１収容空間及び第２収容空間に仕切られ、前記第１収容空間と前記第２収容空間は、前記第２添加物を保存し、前記第１仕切り板と前記第２仕切り板は、第１シリンダー及び第２シリンダーにそれぞれ連結され、前記主機が前記第１シリンダーを駆動させることで第１仕切り板が前記第２添加物排出口から外れるようにし、前記第２添加物が前記第１コップまたは前記第２コップに落ちるようにし、前記第１仕切り板は、前記第１シリンダーによって動かされ前記第２添加物排出口を密封し、前記第２シリンダーは、前記第２仕切り板を動かして第１収容空間の中の第２添加物が前記第２収容空間に落ちるようにし、さらに、前記第２シリンダーによって前記第２仕切り板を動かし、切り口から収容槽内に入るようにすることを特徴とする、請求項１に記載の自動飲料機。
【請求項１１】
前記第２添加物装置は、中が空洞の少なくとも１つの収容筒を備え、前記収容筒は、前記第２添加物を保存し、前記収容筒の底部には、ねじ棒が設けられ、前記第２添加物を押動し、前記第２添加物排出口は、前記収容筒の頂部に設けられ、前記第２添加物排出口には、押出シリンダーが設けられ、前記押出シリンダーによって前記第２添加物を押動することで、前記第２添加物が前記第２添加物排出口から前記第１コップまたは前記第２コップに落ちることを特徴とする、請求項１に記載の自動飲料機。
【請求項１２】
前記攪拌装置は、筐体と、伝動軸を備えるモーターと、スライドレールと、歯竿を備え、前記モーターは、前記筐体の中に設けられ、前記伝動軸は、前記筐体の外側に延在し、伝動軸上には、歯車が設けられるとともに、前記第２機械アームは、前記伝動軸上に設けられ、前記筐体からは、アームが延在するとともに、前記スライドレール上にスライド可能に設けられ、前記歯竿は、前記スライドレールの下方に位置し、前記歯車は、前記歯竿と連結され、モーターによって歯車を動かして回転させることで、筐体が前記スライドレールと前記歯竿に沿って移動すると同時に、前記伝動軸は、前記第２機械アームを動かして回転させ、前記第１コップまたは前記第２コップを振ることを特徴とする、請求項１に記載の自動飲料機。
【請求項１３】
前記主機は、牛乳装置に電気的に接続され、前記主機は、前記第１飲料または前記第２飲料に対応する牛乳量を設定することを特徴とする、請求項１に記載の自動飲料機。
【考案の詳細な説明】
【技術分野】
【０００１】
本考案は、飲料機に関し、特に、各種メニューに従って順に飲料を調合製造する自動飲料機に関する。
【背景技術】
【０００２】
街中にはハンドシェイクドリンクスタンドが多く立地しているが、その飲料の甘さ、アイスかホット、または材料の比率等はすべてカスタマイズすることができる。しかしながら、手作業で飲料を製造するため、往々にして製造する人によって誤差があり、経験の違いから完成した飲料が満足のいかないものである場合もある。この他にも、ハンドシェイクドリンクスタンドは、比較的多くの労働力を必要とするため、人件費がかかってしまう。従って、改善が必要とされている。
【考案の概要】
【考案が解決しようとする課題】
【０００３】
本考案は、各種メニューに従って順に飲料を調合製造する自動飲料機を提供することを目的とする。
【課題を解決するための手段】
【０００４】
上述の欠点を鑑みて、本考案の自動飲料機は、注文操作ユニットと、主機と、からなる。前記注文操作ユニットは、少なくとも１つの飲料メニューと、氷量メニューと、砂糖量メニューを備え、前記飲料メニューは、少なくとも１つの第１飲料を備え、前記氷量メニューと前記砂糖量メニューによって、前記第１飲料及び前記第２飲料に対応する氷の量及び砂糖の量を設定することができ、前記飲料メニュー、前記氷量メニュー、及び前記砂糖量メニューは、選択されるとそれぞれ第１飲料信号を出力する。前記主機は、コップ供給装置と、ラベル装置と、製氷機と、第１添加物装置と、果糖装置と、ジャム装置と、第２添加物装置と、牛乳装置と、飲料装置と、密封装置と、攪拌装置に電気的に接続され、コップ供給装置は、少なくとも１つのコップを排出するとともに、前記ラベル装置によって前記第１飲料に対応する第１ラベルを貼り付ける。伝達ユニットによって前記コップを前記製氷機、第１添加物機、果糖装置、ジャム装置、第２添加物装置、牛乳装置、飲料装置、及び密封装置の下方に移動させて、氷、果糖、ジャム、第１添加物、第２添加物、牛乳、及び飲料をコップに受けるとともに、密封装置によって前記コップを密封する。攪拌装置によってコップを挟み取り、回転させると同時に移動させ、コップを受け取りカウンターに置く。
【考案の効果】
【０００５】
本考案の自動飲料機により、基準通り且つ安定した、衛生的な飲料を製造することができるとともに、人手需要を減らすことができるため、コストが低減される。
【図面の簡単な説明】
【０００６】
【図１】本考案の注文操作ユニットを示した図である。
【図２】本考案の斜視外観図である。
【図３】本考案におけるコップ供給装置とラベル装置の斜視外観図である。
【図４】本考案におけるコップ供給装置と製氷機の斜視外観図である。
【図５】本考案における第１添加物装置の斜視外観図である。
【図６】図５の使用状態を示した図である。
【図７】本考案における第２添加物装置の第１形態を示した図である。
【図８】本考案における第２添加物装置の第２形態を示した図である。
【図９】本考案における攪拌装置の外観図である。
【図１０】本考案における伝達装置の組織図ある。
【考案を実施するための形態】
【０００７】
図１及び図２を参照する。本考案の自動飲料機は、注文操作ユニット１０と、主機と、コップ供給装置Ａと、ラベル装置Ｂと、製氷機Ｃと、第１添加物装置Ｄと、果糖装置Ｅと、ジャム装置Ｆと、第２添加物装置Ｇと、牛乳装置Ｉと、飲料装置Ｉと、密封装置Ｊと、攪拌装置Ｋと、からなり、各パーツはそれぞれ以下の通りである。
【０００８】
図１を参照する。注文操作ユニット１０は、少なくとも１つの飲料メニュー１１と、氷量メニュー１２と、砂糖量メニュー１３を備え、前記飲料メニュー１１は、少なくとも１つの第１飲料１１１と、少なくとも１つの第２飲料１１２を備える。前記氷量メニュー１２と前記砂糖量メニュー１３によって、前記第１飲料１１１及び前記第２飲料１１２の氷の量及び砂糖の量を設定することができ、前記飲料メニュー１１、前記氷量メニュー１２、及び前記砂糖量メニュー１３は、選択されるとそれぞれ第１飲料信号１０１及び第２飲料信号１０２を出力する。
【０００９】
主機２０は、前記注文操作ユニット１０に電気的に接続されることで、前記第１飲料信号１０１及び前記第２飲料信号１０２を受信するとともに、前記主機２０において、前記第１飲料１１１または前記第２飲料１１２に対応する第１添加物データ、ジャム量データ、及び第２添加物データをそれぞれ設定することができる。
【００１０】
図２及び図３を参照する。コップ供給装置Ａは、筒体Ａ１と、昇降ユニットＡ２と、水平台Ａ３を備える。前記筒体Ａ１により、複数のコップ（未図示）が取り付けられ、前記昇降ユニットＡ２は、前記筒体Ａ１の一側に設けられ、前記第１飲料信号１０１及び前記第２飲料信号１０２を受信した後に駆動され、順に第１コップ（未図示）及び第２コップ（未図示）を取り外す。前記水平台Ａ３は、前記筒体Ａ１の下方に位置し、前記第１コップ及び前記第２コップを前記水平台Ａ３上に順に置く。前記水平台Ａ３の一側には摺動ユニットＡ４が設けられる。
【００１１】
そのうち、前記昇降ユニットＡ２は、吸盤Ａ２１を備え、前記吸盤Ａ２１は、前記筒体Ａ１の底部を向いているとともに、前記吸盤Ａ２１によって前記第１コップの底部を吸着する。前記昇降ユニットＡ２が下降することで、前記第１コップを前記筒体Ａ１から取り外すとともに、前記第１コップまたは前記第２コップを前記水平台Ａ３に置くと、昇降ユニットＡ２は上昇して元の位置に戻る。さらに、前記水平台Ａ３は、前記伝達ユニットＬと隣り合う。
【００１２】
ラベル装置Ｂは、前記コップ供給装置Ａと隣り合っているとともに、前記主機２０に電気的に接続される。前記ラベル装置Ｂは、ラベル受取ユニットＢ１に電気的に接続され、前記ラベル装置Ｂは、前記第１飲料信号１０１及び前記第２飲料信号１０２を受信すると、前記第１飲料１１１に対応する第１ラベル（未図示）及び前記第２飲料１１２に対応する第２ラベル（未図示）を出力する。前記ラベル受取ユニットＢ１は、前記第１ラベル及び前記第２ラベルを順に受け取ると同時に、前記第１ラベルと前記第２ラベルを第１コップ及び前記第２コップ上に順に貼り付ける。前記第１ラベルが前記第１コップに貼り付けられると、前記摺動ユニットＡ４が駆動されて前記第１コップを前記水平台Ａ３から移動させることで、前記第２コップが前記水平台Ａ３上に来る。
【００１３】
そのうち、前記ラベル装置Ｂにおけるラベル受取ユニットＢ１は、往復伸縮装置Ｂ１１と、モーターＢ１２を備え、前記往復伸縮装置Ｂ１１上には、吸盤Ｂ１１１が設けられることで、前記第１ラベルまたは前記第２ラベルを吸着する。前記モーターＢ１２は、前記往復伸縮装置Ｂ１１を駆動させて回転させるとともに前記水平台Ａ３の方向に向けさせる。前記往復伸縮装置Ｂ１１が伸びることにより、前記吸盤Ｂ１１１上のラベルが第１コップまたは前記第２コップ上に貼り付けられる。
【００１４】
製氷機Ｃは、前記主機２０に電気的に接続され、氷（未図示）を製造し、保存し、且つ排出するとともに、氷排出口Ｃ１を備える。前記第１コップは、前記氷排出口Ｃ１の下方に位置し、前記第１コップに氷を受けうると、伝達ユニットＬによって前記第１コップが移動されると同時に、前記第２コップは、前記摺動ユニットＡ４によって氷排出口Ｃ１の下方に移動される。
【００１５】
そのうち、前記氷排出口Ｃ１の下方には、さらに、誘導ユニットＣ２が設けられ、前記誘導ユニットＣ２は、傾斜を備える。前記第１コップまたは前記第２コップは、前記誘導ユニットＣ２の末端に位置することで、氷をコップに受けることができる。そのうち、前記氷排出口Ｃ１の下方または誘導ユニットＣ２の下方には、さらに、前記製氷機Ｃに電気的に接続された電子はかりＣ３が設けられ、第１コップと第２コップは、電子はかりＣ３上に置かれる。電子はかりＣ３上のコップに受けた氷の重量が第１飲料１１１または第２飲料１１２の氷の量にそれぞれ達すると、製氷機Ｃが氷を排出するのを停止させる。
【００１６】
第１添加物装置Ｄは、前記主機２０に電気的に接続され、少なくとも１つの第１添加物（未図示）を保存する。第１添加物は、ナタデココまたはタピオカ等であることができるとともに、第１機械アームＤ１を備える。前記伝達ユニットＬは、前記第１コップ及び前記第２コップを順に、第１添加物装置Ｄの前方に移動させ、前記主機２０は、前記第１添加物データに基づいて、前記第１機械アームＤ１を選択的に駆動させ、前記第１添加物をすくうとともに、前記第１コップまたは前記第２コップに入れる。
【００１７】
図５及び図６を参照する。前記第１添加物装置Ｄは、箱体Ｄ２を備え、前記箱体Ｄ２の内部には、少なくとも１つの第１貯蔵槽Ｄ２１及び洗浄槽Ｄ２２が設けられる。前記第１貯蔵槽Ｄ２１は、前記第１添加物を保存し、前記洗浄槽Ｄ２２の中には洗浄液（きれいな水）が保存される。前記箱体Ｄ２の両側には、縦向きレールＤ２３がそれぞれ設けられ、各前記縦向きレールＤ２３はフレームＤ２４と連結していることで、前記フレームＤ２４は各前記縦向きレールＤ２３に沿って往復移動する。前記フレームＤ２４上には横向きレールＤ２４１が設けられ、前記第１機械アームＤ１は、前記横向きレールＤ２４１上に設けられることで、前記第１機械アームＤ１は前記横向きレールＤ２４１に沿って往復移動する。
【００１８】
前記箱体Ｄ２の頂面には、蓋体Ｄ２５が設けられ、前記蓋体Ｄ２５上には、連結部品（未図示）が設けられる。前記連結部品の頂端と前記フレームＤ２４の底面は連結していることで、前記フレームＤ２４が縦向きに往復移動すると、前記蓋体Ｄ２５が前記箱体Ｄ２から外れるまたは前記蓋体Ｄ２５によって前記箱体Ｄ２が密封される。
【００１９】
前記箱体Ｄ２の前側には、漏斗Ｄ２６が凸設されることで、前記第１機械アームＤ１が前記第１添加物をすくうと、前記第１添加物は前記漏斗Ｄ２６の中に投入され、さらに、前記漏斗Ｄ２６から前記第１コップまたは第２コップに落とされる。
【００２０】
果糖装置Ｅは、前記主機２０に電気的に接続され、果糖（未図示）を保存するとともに、果糖排出口Ｅ１を備える。前記伝達ユニットＬは、前記第１コップ及び前記第２コップを果糖排出口Ｅ１の下方に順に移動させ、前記果糖装置Ｅは、前記第１飲料信号１０１及び前記第２飲料信号１０２にそれぞれ基づいて、前記第１飲料１１１に対応する砂糖の量を前記第１コップの中に排出するとともに、前記第２飲料１１２に対応する砂糖の量を前記第２コップに排出する。
【００２１】
ジャム装置Ｆは、前記主機２０に電気的に接続され、ジャム（未図示）を保存するとともに、ジャム排出口Ｆ１を備える。前記伝達ユニットＬは、前記第１コップと前記第２コップを前記ジャム排出口Ｆ１の下方に順に移動させ、前記主機２０は、前記ジャム量データに基づいて選択的に前記ジャム装置Ｆを駆動させてジャムを前記第１コップまたは前記第２コップの中に排出させる。
【００２２】
第２添加物装置Ｇは、前記主機２０に電気的に接続されるとともに、少なくとも１つの第２添加物（未図示）を保存する。第２添加物は、さいの目状（ブロック状）の果物またはスライス状の果物であることができ、前記第２添加物装置Ｇは、少なくとも１つの第２添加物排出口Ｇ１を備え、前記伝達ユニットＬは、前記第１コップと前記第２コップを前記第２添加物排出口Ｇ１の下方に順に移動させる。前記主機２０は、前記第２添加物データに基づいて、選択的に前記第２添加物装置Ｇを駆動させて少なくとも１つの第２添加物を前記第１コップまたは前記第２コップの中に排出させる。          
【００２３】
本実施例において、第２添加物装置Ｇの第１形態と第２添加物装置Ｇは、少なくとも１つの収容槽Ｇ２と、第１仕切り板Ｇ３と、第２仕切り板Ｇ４を備え、前記第２添加物排出口Ｇ１は、前記収容槽Ｇ２の底部に設けられる。前記第１仕切り板Ｇ３は、前記第２添加物排出口Ｇ１を密封し、前記収容槽Ｇ２上には、切り口Ｇ２１が設けられ、前記切り口Ｇ２１によって、前記第２仕切り板Ｇ３が取り付けられることで、前記収容槽Ｇ２は、第１収容空間Ｇ２２及び第２収容空間Ｇ２３に仕切られる。前記第１収容空間Ｇ２２と前記第２収容空間Ｇ２３は、前記第２添加物を保存し、前記第１仕切り板Ｇ３と前記第２仕切り板Ｇ４は、第１シリンダーＧ３１及び第２シリンダーＧ４１にそれぞれ連結される。前記主機２０が前記第１シリンダーＧ３１を駆動させることで第１仕切り板Ｇ３が前記第２添加物排出口Ｇ１から外れるようにし、前記第２添加物が前記第１コップまたは前記第２コップに落ちるようにする。前記第１仕切り板Ｇ３は、前記第１シリンダーＧ３１によって動かされ前記第２添加物排出口Ｇ１を密封し、前記第２シリンダーＧ４１は、前記第２仕切り板Ｇ４を動かして第１収容空間Ｇ２２の中の第２添加物が前記第２収容空間Ｇ２３に落ちるようにし、さらに、前記第２シリンダーＧ４１によって前記第２仕切り板Ｇ４を動かし、切り口Ｇ２１から収容槽Ｇ２内に入るようにする。この形態の第２添加物装置は、さいの目状（ブロック状）の果物を入れることができる。
【００２４】
第２添加物装置Ｇの第２形態と前記第２添加物装置Ｇは、中が空洞の少なくとも１つの収容筒Ｇ５を備え、前記収容筒Ｇ５は、前記第２添加物を保存することができる。前記収容筒Ｇ５の底部には、ねじ棒Ｇ５１が設けられ、前記第２添加物を押動する。前記第２添加物排出口Ｇ１は、前記収容筒Ｇ５の頂部に設けられ、前記第２添加物排出口Ｇ１には、押出シリンダーＧ６が設けられる。前記押出シリンダーＧ６によって前記第２添加物を押動することで、前記第２添加物は前記第２添加物排出口Ｇ１から前記第１コップまたは前記第２コップに落ちる。
【００２５】
第２添加物装置Ｇの二種類の形態は、使用者の必要に応じて、二種類の内の一種類を使用することも、または同時に使用することもできる。
【００２６】
牛乳装置Ｈは、前記主機２０に電気的に接続され、前記主機２０は、前記第１飲料１１１または前記第２飲料１１２に対応する牛乳量を設定するとともに、選択的に牛乳を前記第１コップまたは前記第２コップに注入する。
【００２７】
飲料装置Ｉは、前記主機２０に電気的に接続され、前記飲料装置Ｉは、複数の飲料（未図示）を保存する。各前記飲料は、緑茶、紅茶、ミルクティー等の飲料を含むとともに、前記飲料装置Ｉは、複数の飲料排出口Ｉ１を備える。前記伝達ユニットＬは、前記第１コップ及び前記第２コップを前記飲料排出口Ｉ１の下方に移動させ、前記主機２０は、前記第１飲料信号１０１及び前記第２飲料信号１０２に基づいて、前記飲料装置Ｉを駆動させて前記第１飲料１１１に対応する飲料を前記第１コップの中に排出させるとともに、前記第２飲料１１２に対応する飲料を前記第２コップの中に排出させる。
【００２８】
密封装置Ｊは、前記主機２０に電気的に接続され、前記密封装置Ｊには、複数の密封フィルム（未図示）が取り付けられ、伝達ユニットＬは、前記第１コップ及び前記第２コップを前記密封装置Ｊの下方に順に移動させ、前記密封装置Ｊは、密封フィルムを順に排出して前記第１コップ及び前記第２コップをそれぞれ密封する。
【００２９】
攪拌装置Ｋは、前記主機２０に電気的に接続され、前記攪拌装置Ｋは、第２機械アームＫ１を備える。前記第１コップと前記第２コップが前記密封フィルムによって密封されると、前記第２機械アームＫ１は、前記第１コップ及び前記第２コップを順につかむとともに回転させ、前記第１コップと前記第２コップを受け取りカウンター３０に置く。
【００３０】
前記攪拌装置Ｋは、筐体Ｋ２と、伝動軸Ｋ３１を備えるモーター（未図示）と、スライドレールＫ４と、歯竿Ｋ５を備える。前記モーターＫ３は、前記筐体Ｋ２の中に設けられ、前記伝動軸Ｋ３１は、前記筐体Ｋ２の外側に延在する。伝動軸Ｋ３１上には、歯車Ｋ３１１が設けられるとともに、前記第２機械アームＫ１は、前記伝動軸Ｋ３１上に設けられる。前記筐体Ｋ２からはアームＫ２１が延在するとともに、前記スライドレールＫ４上にスライド可能に設けられる。前記歯竿Ｋ５は、前記スライドレールＫ４の下方に位置し、前記歯車Ｋ３１１は、前記歯竿Ｋ５と連結され、モーターによって歯車Ｋ３１１を動かして回転させることで、筐体Ｋ２は前記スライドレールＫ４と前記歯竿Ｋ５に沿って移動すると同時に、前記伝動軸Ｋ３１は、前記第２機械アームＫ１を動かして回転させ、前記第１コップまたは前記第２コップを振って、第１コップ及び前記第２コップの中の物が混ざるようにする。
【００３１】
図１及び図１０を参照する。伝達ユニットＬは、第１伝達装置Ｌ１と、第２伝達装置Ｌ２と、第３伝達装置Ｌ３を備え、前記第１伝達装置Ｌ１、前記第２伝達装置Ｌ２、及び前記第３伝達装置Ｌ３は、第１レールＬ１１と第１挟持装置Ｌ１２、第２レールＬ２１と第２挟持装置Ｌ２２、及び第３レールＬ３１と第３挟持装置Ｌ３２をそれぞれ備える。前記第１レールＬ１は、前記製氷機Ｃ、前記第１添加物装置Ｄ、及び前記果糖装置Ｅの前に設けられ、前記第１挟持装置Ｌ１２は、前記第１レールＬ１１上に往復するように設けられる。前記第２レールＬ２２は、前記果糖装置Ｅ、前記ジャム装置Ｆ、前記第２添加物装置Ｇ、及び前記飲料装置Ｉの前に設けられ、前記第２挟持装置Ｌ２２は、前記第２レールＬ２１上に往復するように設けられる。前記第３レールＬ３１は、前記飲料装置Ｉ及び前記密封装置Ｊの前に設けられ、前記第３挟持装置Ｌ３２は、前記第３レールＬ３１上に往復するように設けられるとともに、前記第１挟持装置Ｌ１２、前記第２挟持装置Ｌ２２、または前記第３挟持装置Ｌ３２によって前記第１コップ及び前記第２コップはそれぞれ挟まれる。
【００３２】
上述は、本考案の実行可能な実施例について具体的に説明したものであり、実施例に過ぎないとともに、本考案の請求範囲を制限するものではない。本考案の技術精神を逸脱せずに行う同等効果の実施または変更は、いずれも本考案の請求範囲内に含まれるものとする。
【符号の説明】
【００３３】
１０      注文操作ユニット
１１      飲料メニュー
１２      氷量メニュー
１３      砂糖量メニュー
１１１    第１飲料
１１２    第２飲料
１０１    第１飲料信号
１０２    第２飲料信号
２０      主機
Ａ        コップ供給装置
Ａ１      筒体
Ａ２      昇降ユニット
Ａ２１    吸盤
Ａ３      水平台
Ａ４      摺動ユニット
Ｂ        ラベル装置
Ｂ１      ラベル受取ユニット
Ｂ１１    往復伸縮装置
Ｂ１１１  吸盤
Ｂ１２    モーター
Ｃ        製氷機
Ｃ１      氷排出口
Ｃ２      誘導ユニット
Ｃ３      電子はかり
Ｄ        第１添加物装置
Ｄ１      第１機械アーム
Ｄ２      箱体
Ｄ２１    第１貯蔵槽
Ｄ２２    洗浄槽
Ｄ２３    縦向きレール
Ｄ２４    フレーム
Ｄ２４１  横向きレール
Ｄ２５    蓋体
Ｄ２６    漏斗
Ｅ        果糖装置
Ｅ１      果糖排出口
Ｆ        ジャム装置
Ｆ１      ジャム排出口
Ｇ        第２添加物装置
Ｇ１      第２添加物排出口
Ｇ２      収容槽
Ｇ２１    切り口
Ｇ２２    第１収容空間
Ｇ２３    第２収容空間
Ｇ３      第１仕切り板
Ｇ３１    第１シリンダー
Ｇ４      第２仕切り板
Ｇ４１    第２シリンダー
Ｇ５      収容筒
Ｇ５１    ねじ棒
Ｇ６      押出シリンダー
Ｈ        牛乳装置
Ｉ        飲料装置
Ｉ１      飲料排出口
Ｊ        密封装置
Ｋ        攪拌装置
Ｋ１      第２機械アーム
Ｋ２      筐体
Ｋ３１    伝動軸
Ｋ３１１  歯車
Ｋ４      スライドレール
Ｋ５      歯竿
Ｌ        伝達ユニット
Ｌ１      第１伝達装置
Ｌ１１    第１レール
Ｌ１２    第１挟持装置
Ｌ２      第２伝達装置
Ｌ２１    第２レール
Ｌ２２    第２挟持装置
Ｌ３      第３伝達装置
Ｌ３１    第３レール
Ｌ３２    第３挟持装置
【図１】
0003218780.tif 000003
【図２】
0003218780.tif 000004
【図３】
0003218780.tif 000005
【図４】
0003218780.tif 000006
【図５】
0003218780.tif 000007
【図６】
0003218780.tif 000008
【図７】
0003218780.tif 000009
【図８】
0003218780.tif 000010
【図９】
0003218780.tif 000011
【図１０】
0003218780.tif 000012